(57)【要約】【課題】極めて簡単な操作で画面上の画像を所望の距離及び所望の角度に移動及び回転させる。【解決手段】マイコン２１は、タッチパネル２５に接触された２本の指の位置情報に基づいて前記２点の移動方向、移動量及び回転量を求め、求めた移動方向、移動量及び回転量に従って表示画像を移動及び／または回転処理する移動回転モードと、タッチパネル２５に接触された２本の指の位置情報に基づいて前記２点間の遠近移動距離を求め、この遠近移動距離に従って表示画像を拡大または縮小する拡大縮小モードとを備えており、タッチパネル２５により検出された位置情報に基づいて前記２点の移動及び／または回転を検出している間は移動回転モードを実行する一方、拡大縮小モードを禁止し、２点の移動及び回転が停止したときには、拡大縮小モードを有効とする。【選択図】図１
2008070968.tif 000002
【特許請求の範囲】
【請求項１】
画面に表示された画像を処理する表示処理装置であって、
処理対象となる画像を生成して表示する表示手段と、
前記表示手段の表示画面上に配置され、当該表示画面上において同時に接触される２点の接触位置を検出して位置情報を出力する位置情報検出手段と、
前記位置情報検出手段により検出された位置情報に基づいて前記表示手段に表示される画像の表示処理を行う表示制御手段とを備え、
前記表示制御手段は、前記位置情報検出手段により検出された位置情報に基づいて前記２点の移動方向、移動量及び回転量を求め、求めた移動方向、移動量及び回転量に従って表示画像を移動及び／または回転処理する移動回転モードと、前記位置情報検出手段により検出された位置情報に基づいて前記２点間の遠近移動距離を求め、この遠近移動距離に従って表示画像を拡大または縮小する拡大縮小モードとを備えており、前記位置情報検出手段により検出された位置情報に基づいて前記２点の移動及び／または回転を検出している間は前記移動回転モードを実行する一方、前記拡大縮小モードを禁止し、前記２点の移動及び回転が停止したときには、前記拡大縮小モードを有効とすることを特徴とする表示処理装置。
【請求項２】
画面に表示された画像を処理する表示処理装置であって、
処理対象となる画像を生成して表示する表示手段と、
前記表示手段の表示画面上に配置され、当該表示画面上において同時に接触される２点の接触位置を検出して位置情報を出力する位置情報検出手段と、
前記位置情報検出手段により検出された位置情報に基づいて前記表示手段に表示される画像の表示処理を行う表示制御手段とを備え、
前記表示制御手段は、前記位置情報検出手段により検出された位置情報に基づいて前記２点の移動方向、移動量及び回転量を求め、求めた移動方向、移動量及び回転量に従って表示画像を移動及び／または回転処理する移動回転モードを実行することを特徴とする表示処理装置。
【請求項３】
前記移動方向及び移動量は、移動前の前記２点を結ぶ直線の中点から、移動後の前記２点を結ぶ直線の中点までの移動方向及び移動量によって求めることを特徴とする請求項２に記載の表示処理装置。
【請求項４】
前記回転量は、移動前の２点を結ぶ直線の中点を通る法線と、移動後の前記２点を結ぶ直線の中点を通る法線との成す角度によって求めることを特徴とする請求項２または請求項３に記載の表示処理装置。
【請求項５】
前記表示制御手段は、前記位置情報検出手段の位置情報に基づいて前記２点間の移動距離を求め、この２点間距離の遠近移動に従って表示画像を拡大または縮小する拡大縮小機能をさらに備えており、前記位置情報検出手段により検出された位置情報に基づいて前記２点の移動及び／または回転を検出している間は前記移動回転モードを実行する一方、前記拡大縮小モードを禁止することを特徴とする請求項２ないし請求項４のいずれかに記載の表示処理装置。
【請求項６】
前記表示制御手段は、前記２点の移動及び回転が停止したときには、前記拡大縮小モードを有効とすることを特徴とする請求項５に記載の表示処理装置。
【請求項７】
前記２点の任意方向の移動量、回転量及び前記２点間の遠近移動量にそれぞれ移動閾値、回転閾値及び遠近閾値が設けられており、
前記表示制御手段は、前記２点が移動を開始したとき、当該２点の移動が前記移動閾値または回転閾値または遠近閾値のどの閾値を最初に超えるのかを監視し、前記遠近閾値よりも先に前記移動閾値または前記回転閾値のいずれかを超えた場合には前記表示画像の移動及び／または回転と判断し、その後に前記遠近閾値を超えた場合であっても、前記２点の移動が停止するまでは前記拡大縮小モードを禁止することを特徴とする請求項５に記載の表示処理装置。
【発明の詳細な説明】
【技術分野】
【０００１】
本発明は、画面に表示された例えば地図情報などの画像を画面上で移動させたり、拡大・縮小させたりする表示処理装置に関する。
【背景技術】
【０００２】
近年、カーナビゲーション装置などに見られるように、簡単な入力操作で画面に表示された画像の各種処理を可能としたものが提案されている（例えば、特許文献１，２等参照）。
【０００３】
特許文献１に記載の情報処理装置は、ＬＣＤに表示されたアイテムを挟むようにして、タッチパネルディスプレイ上の２点に親指と人差し指とを接触させ、その間隔を予め設定された閾値以下になるまで縮めると、２つの接触点の中点を中心とする直径Ｌの円を設定し、この内側にあるアイテムを操作対象表示物として認識する。引き続いて、この接触している２点を動かすと、これに従ってアイテムが移動し、移動後にタッチパネルディスプレイから指を離すと、その時点でアイテムの移動先が確定するようになっている。すなわち、タッチパネルディスプレイ上の２点の接触と移動とでドラッグ機能を実現している。
【０００４】
また、特許文献２に記載のナビゲーション装置は、ナビゲーション画面上において、少なくとも２点における連続した入力操作をタッチパネルにより検出し、検出した入力操作を解析することにより、入力操作の操作方向及び操作量を算出する。そして、２点における入力操作の操作方向が互いに近づく方向である場合、操作量に基づいて、現在表示されている地図よりも小さい縮尺率を決定し、この縮尺率に対応する地図情報を地図情報ＤＢから取得して、表示部に表示させるようになっている。
【特許文献１】特開２００２−３０４２５６号公報
【特許文献２】特開２００３−３４４０５９号公報
【発明の開示】
【発明が解決しようとする課題】
【０００５】
特許文献１の情報処理装置によれば、ディスプレイ上に表示されたアイテムを２本の指の接触のみで任意の方向に直線的に移動させることが可能である。また、特許文献２のナビゲーション装置によれば、画面上に表示された地図を２本の指の接触のみで簡単に拡大縮小することが可能である。
【０００６】
ところで、表示された画像が例えば地図情報であった場合、地図情報は通常、北が画面上側にくるように表示されるのが一般的である。また、カーナビゲーション装置では、進行方向の前方側が画面上側に表示される場合が多い。しかし、ユーザにとっては、その表示画面の方向を変更したい場合もある。この場合、上記特許文献１，２も含め従来の装置では、例えば表示画面の横に切り替えボタンが設けられており、そのボタンを操作することで表示方向を変更することが可能であるが、ユーザの所望する方向に画面を切り替えるためには何度もボタン操作を行わなければならない場合もあり、煩雑な操作になるといった問題があった。
【０００７】
また、ユーザにとっては、表示されている画像を所望の角度に回転させたい場合もあるが、このような画面に接触させた指の操作による画像の回転機能については、上記特許文献１，２も含め従来の装置ではいまのところ実現されていない。
【０００８】
本発明はかかる問題点を解決すべく創案されたもので、その目的は、極めて簡単な操作で画面上の画像を所望の距離及び所望の角度に移動及び回転させることのできる表示処理装置を提供することにある。
【課題を解決するための手段】
【０００９】
上記課題を解決するため、本発明の表示処理装置は、画面に表示された画像を処理する表示処理装置であって、処理対象となる画像を生成して表示する表示手段と、前記表示手段の表示画面上に配置され、当該表示画面上において同時に接触される２点の接触位置を検出して位置情報を出力する位置情報検出手段と、前記位置情報検出手段により検出された位置情報に基づいて前記表示手段に表示される画像の表示処理を行う表示制御手段とを備え、前記表示制御手段は、前記位置情報検出手段により検出された位置情報に基づいて前記２点の移動方向、移動量及び回転量を求め、求めた移動方向、移動量及び回転量に従って表示画像を移動及び／または回転処理する移動回転モードを実行することを特徴としている。
【００１０】
ここで、前記移動方向及び移動量は、移動前の前記２点を結ぶ直線の中点から、移動後の前記２点を結ぶ直線の中点までの移動方向及び移動量を演算することによって求めることができる。また、前記回転量は、移動前の２点を結ぶ直線の中点を通る法線と、移動後の前記２点を結ぶ直線の中点を通る法線との成す角度を演算することによって求めることができる。
【００１１】
本発明によれば、画面上の２点に指（例えば親指と人差し指）を接触させた状態で、例えば左方向にＳ字を描くように指を平行移動させると、画面上の表示画像が上下に弧を描くように揺動しながら、左方向に移動することになる。すなわち、上下左右方向若しくは斜め方向といった直線的な移動ではなく、回転を含む曲線的な移動が可能となる。これにより、表示画像をアナログ的に移動させることが可能となり、結果としてより直感的な操作感が得られるものである。
【００１２】
また、本発明の表示処理装置では、前記表示制御手段は、前記位置情報検出手段の位置情報に基づいて前記２点間の移動距離を求め、この２点間距離の遠近移動に従って表示画像を拡大または縮小する拡大縮小機能をさらに備えており、前記位置情報検出手段により検出された位置情報に基づいて前記２点の移動及び／または回転を検出している間は前記移動回転モードを実行する一方、前記拡大縮小モードを禁止する構成としている。具体的には、前記２点の任意方向の移動量、回転量及び前記２点間の遠近移動量にそれぞれ移動閾値、回転閾値及び遠近閾値が設けられており、前記表示制御手段は、前記２点が移動を開始したとき、当該２点の移動が前記移動閾値または回転閾値または遠近閾値のどの閾値を最初に超えるのかを監視し、前記遠近閾値よりも先に前記移動閾値または前記回転閾値のいずれかを超えた場合には前記表示画像の移動及び／または回転と判断し、その後に前記遠近閾値を超えた場合であっても、前記２点の移動が停止するまでは前記拡大縮小モードを禁止する構成としている。
【００１３】
このように、移動回転モードと拡大縮小モードの両方を備えている場合において、移動回転モードを実行中は拡大縮小モードを禁止するように構成している。これにより、例えば２本の指をＳ字状にくねらせながら移動させているときに、２本の指の間隔が離れたり近づいたりしても、それによって画像が拡大または縮小されることはない。つまり、移動と回転とを行っているときに、ユーザの意図しない拡大、縮小まで同時に行われると、画像としては非常に見づらい画像となるが、本発明では、このような場合に拡大縮小モードを禁止することで、移動と回転とをスムーズに行えるようにしたものである。
【００１４】
なお、上記とは逆に、拡大縮小モードを実行中は移動回転モードを禁止するようにしてもよい。ただし、拡大縮小モードの実行中であっても、２点の移動が前記移動閾値または回転閾値のいずれかを超えた場合には、その時点で拡大縮小モードを禁止し、移動回転モードを実行するように構成してもよい。すなわち、常に移動回転モードを優先する構成としてもよい。
【００１５】
また、本発明では、前記表示制御手段は、前記２点の移動及び回転が停止したときには、前記拡大縮小モードを有効とする。すなわち、２点の移動が止まると、移動回転モードと拡大縮小モードのいずれかのモードも受け付け可能な初期状態に復帰するように構成してもよい。
【発明の効果】
【００１６】
本発明によれば、画面上の２点に指を接触させた状態で、例えば左方向にＳ字を描くように指を平行移動させると、画面上の表示画像を上下に弧を描くように揺動させながら、左方向に移動させることができる。すなわち、上下左右方向若しくは斜め方向といった直線的な移動ではなく、回転を含む曲線的な移動が可能であるため、表示画像をアナログ的に移動させることができ、結果としてより直感的な操作感を得ることができるものである。
【発明を実施するための最良の形態】
【００１７】
以下、本発明の実施の形態について、図面を参照して説明する。
【００１８】
図１は、本発明の表示処理装置の一実施形態であるテレビジョン受信装置の要部の電気的構成を示す機能ブロック図である。ただし、本実施形態では、テレビジョン受信装置による映像及び音声の信号処理については従来周知の処理であるので、ここではＴＶ信号処理部として簡単な機能ブロックで示している。
【００１９】
すなわち、本実施形態のテレビジョン受信装置は、ＴＶ制御系２０の全体を制御するマイコン２１を備えている。そして、デジタル／アナログ放送のテレビジョン信号を受信するチューナ回路２２の出力は、ＴＶ信号処理部２４に接続されており、ＴＶ信号処理部２４の出力は、ＣＲＴまたはディスプレイ等の表示部２６に接続されている。表示部２６の表示画面上には、入力装置である透明のタッチパネル２５が配置されている。すなわち、表示部２６は、タッチパネル２５を備えた入力表示装置となっている。
【００２０】
また、ＴＶ信号処理部２４の出力は、増幅器２７を介して内部スピーカ２８に接続されている。ＴＶ信号処理部２４は、テレビジョン受信装置側の各種設定を行うためのセットアップ画面を含む各種設定画面をメニュー画面として表示するためのＯＳＤ回路２４ａを備えている。
【００２１】
マイコン２１は、ＴＶ信号処理部２４と双方向に接続されており、チューナ回路２２を介して受信したテレビジョン信号を映像信号や音声信号に復号し、映像信号を表示部２６に表示するとともに音声信号を内部スピーカ２８から出力するように、ＴＶ信号処理部２４を制御する。また、マイコン２１は、ＴＶ信号処理部２４のＯＳＤ回路２４ａを制御して、各種設定を行うためのメニュー画面等をＯＳＤ表示するようになっている。
【００２２】
また、マイコン２１には、表示部２６に表示するための画像データが格納されたメモリ部２９が接続されている。このメモリ部２９に格納される画像データとしては、例えば地図データなどがある。また、マイコン２１にはタッチパネル２５の出力が接続されており、タッチパネル２５を使用した入力操作に従って、表示部２６の画面上に表示された画像、例えばメモリ部２９に格納されている地図データ等の表示処理を行うようになっている。これについては後述する。
【００２３】
また、マイコン２１には、リモコン送信機４１からの各種操作信号を受信する受信部３１の出力が接続されている。マイコン２１は、このリモコン送信機４１から送信されてくる各種操作信号に基づいて、ＴＶ制御系２０の動作制御を行うようになっている。
【００２４】
マイコン２１は、図示は省略しているが、演算処理を行うＣＰＵ、各種制御プログラムを格納したＲＯＭ、制御動作中の各種データを格納するとともに、ワークエリアとして働くＲＡＭ等から構成されている。
【００２５】
次に、タッチパネル２５を使用した入力操作に従って、表示部２６の画面上に表示された画像（ここでは、メモリ部２９に格納されている地図データ）の表示処理動作について説明する。なお、この表示処理動作を実行させるためのプログラムは、マイコン２１のＲＯＭに予め格納されている。
【００２６】
本実施形態のタッチパネル２５は、例えば親指と人差し指（または人差し指と中指等）により同時に接触される２点の接触位置を随時検出してそれぞれの位置情報をマイコン２１に出力する機能を備えている。マイコン２１は、タッチパネル２５により随時検出されるそれぞれの位置情報に基づいて、同時に接触されている２点の移動方向、移動量及び回転量を随時求め、求めた移動方向、移動量及び回転量に従って表示画像を随時移動及び回転処理する移動回転モードと、タッチパネル２５により随時検出されるそれぞれの位置情報に基づいて、同時に接触されている２点間の遠近移動距離を随時求め、この遠近移動距離に従って表示画像を随時拡大または縮小する拡大縮小モードとを備えている。
【００２７】
ここで、２点の移動方向及び移動量は、図２（ａ）に示すように、移動前の２点Ａｓ，Ｂｓを結ぶ直線の中点Ｃｓから、移動後の２点Ａｅ，Ｂｅを結ぶ直線の中点Ｃｅまでの移動方向Ｓ１及び移動量Ｌ１によって求めることができる。また、回転量θは、図２（ｂ）に示すように、移動前の２点Ａｓ，Ｂｓを結ぶ直線の中点Ｃｓを通る法線Ｎ１と、移動後の２点Ａｅ，Ｂｅを結ぶ直線の中点Ｃｅを通る法線Ｎ２との成す角度θ１によって求めることができる。マイコン２１は、このようにして求めた移動方向Ｓ１、移動量Ｌ１及び回転量θ１従って表示画像を移動及び回転処理するようになっている。すなわち、図２（ａ），（ｂ）に示す２点の移動が組み合わされた場合には、表示画像全体をＳ１方向に移動量Ｌ１だけ移動させつつ、回転量θ１だけ回転させる移動回転処理を実行する。
【００２８】
また、２点の遠近移動距離は、２点を結ぶ直線距離を演算することで求めることができる。例えば、図２（ｃ）に示すように、移動前の２点Ａｓ，Ｂｓを結ぶ直線の距離をＬ２、同直線上を移動後の２点Ａｅ，Ｂｅを結ぶ直線の距離をＬ３とすると、マイコン２１は、移動前の表示画像を、Ｌ３／Ｌ２倍に拡大表示する。なお、移動が逆の場合には、Ｌ２／Ｌ３倍に縮小表示する。
【００２９】
マイコン２１は、このような図２（ａ）〜（ｃ）に示す演算処理を数ミリ秒若しくは数十ミリ秒単位で行うことにより、２点の移動に追随した表示画像の移動、回転、拡大縮小処理を行うことができる。なお、このような演算をどの程度の時間間隔で行うのかは、マイコン２１の処理能力等も考慮して任意に設定すればよい。
【００３０】
次に、上記のようにして移動回転モードと拡大縮小モードとを実行するマイコン２１において、画面上に表示されている画像の表示処理動作について、図３に示すフローチャート、及び図４に示す説明図を参照して説明する。
【００３１】
表示部２６にメモリ部２９に格納されている任意の地図データが表示されている状態において、マイコン２１は、タッチパネル２５に同時に接触される２点の接触位置情報が入力されたか否かを監視する（ステップＳ１）。
【００３２】
ここで、ユーザが、例えば図５（ａ）に示すように、表示されている地図データ上の２点Ａ，Ｂを親指と人差し指とでタッチすると、それぞれの位置情報がタッチパネル２５からマイコン２１に入力される（ステップＳ１）。
【００３３】
これによりマイコン２１は、タッチパネル２５上に接触されている２点Ａ，Ｂの位置を確認し（ステップＳ２）、この２点Ａ，Ｂがタッチパネル２５上で移動（接触させた状態でスライド移動）を開始したか否かを監視する（ステップＳ３〜ステップＳ５）。すなわち、２点の位置が最初にタッチパネル２５に接触した位置Ａｓ，Ｂｓから移動することによって、その後の画像の表示処理を移動回転モードに移行するのか、拡大縮小モードに移行するのかを、移動閾値Ｗ０、回転閾値θ０、遠近閾値Ｈ０のそれぞれとの比較によって判断する。
【００３４】
ここで、移動閾値Ｗ０は、図４に示すように、最初の２点Ａｓ，Ｂｓを結ぶ直線を中心として平行に一定の幅（斜線を付して示す）を持たせた領域Ｗ０のことである。一定の幅については、後述する遠近閾値Ｈ０との兼ね合いもあり、実際の使用に際して人間工学的な指の動きを考慮する必要があるが、例えば５ｍｍ程度の幅に設定すればよい。すなわち、図４に示す例では、この領域Ｗ０を超えて２点Ａ，Ｂが左右いずれかの方向（ただし、斜め上や斜め下の方向であってもよい。）に略平行移動した場合（ステップＳ３でＹｅｓと判断された場合）には、２点Ａ，Ｂが一定の方向に移動していると判断する。
【００３５】
また、回転閾値θ０は、後述する遠近閾値Ｈ０との兼ね合いもあり、実際の使用に際して人間工学的な指の動きを考慮する必要があるが、例えば５°等とすることができる。すなわち、移動前の２点Ａｓ，Ｂｓを結ぶ直線の中点Ｃｓを通る法線Ｎ１と、移動後の２点Ａｅ，Ｂｅを結ぶ直線の中点Ｃｅを通る法線Ｎ２との成す角度θ１（図２（ｂ）参照）が回転閾値θ０（＝５°）を超えた場合（ステップＳ４でＹｅｓと判断された場合）には、２点Ａ，Ｂの移動が回転を伴っている（回転のみの場合もある）と判断する。
【００３６】
また、遠近閾値Ｈ０は、最初の各点Ａｓ，Ｂｓの位置から、これら２点を結ぶ直線上を近づく方向または離れる方向に例えば５ｍｍの幅に設定する。すなわち、最初の各点Ａｓ，Ｂｓの位置から近づく方向または離れる方向に５ｍｍ以上移動した場合（ステップＳ５でＹｅｓと判断された場合）には、画像の拡大縮小モードであると判断する。
【００３７】
そして、上記ステップＳ３〜ステップＳ５の判断において、２点Ａ，Ｂが任意の方向に平行移動していると判断した場合（ステップＳ３でＹｅｓと判断された場合）には、マイコン２１は、その時点で拡大縮小モードを禁止する（ステップＳ７）。すなわち、この場合の２点Ａ，Ｂの移動は、基本的には間隔を一定に保った状態での平行移動であるが、実際の２点の移動は人の指の動作であるため、一定の間隔を厳密に保つことは難しい。そのため、移動の途中で多少指同士が近づいたり離れたりしても拡大縮小モードに移行しないようにするために、拡大縮小モード禁止する。そして、その後の２点Ａ，Ｂの移動に伴い、上記図２（ａ），（ｂ）で説明したそれぞれの演算処理を随時実行することにより、２点Ａ，Ｂによって保持された画像の移動及び／または回転処理を随時実行する（ステップＳ８）。
【００３８】
また、上記ステップＳ３〜ステップＳ５の判断において、２点Ａ，Ｂが回転していると判断した場合（ステップＳ４でＹｅｓと判断された場合）には、マイコン２１は、その時点で拡大縮小モードを禁止し（ステップＳ７）、その後の２点Ａ，Ｂの移動に伴い、上記図２（ａ），（ｂ）で説明したそれぞれの演算処理を随時実行することにより、２点Ａ，Ｂによって保持された画像の回転及び／または移動処理を随時実行する（ステップＳ８）。
【００３９】
すなわち、ステップＳ３〜ステップＳ５の判断はあくまで、その後の処理が移動回転モードであるのか、拡大縮小モードであるのかを判断するためであり、ステップＳ３及びステップＳ４のいずれかでＹｅｓと判断された後は、マイコン２１は２点の移動と回転の両方を引き続き監視し、移動と回転の両方が行われている場合には、移動と回転とを組み合わせた画像の表示処理を行うことになる。
【００４０】
その後、２点の移動が停止すると（ステップＳ９でＹｅｓと判断されると）、マイコン２１は移動回転モードの実行を停止し（ステップＳ１０）、ステップＳ３に戻って、次に２点の移動が開始されるまで待機状態となる（ステップＳ３〜ステップＳ６を繰り返す）。
【００４１】
すなわち、一旦移動若しくは回転と判断した場合には、その移動及び回転が停止するまでは拡大縮小モードを禁止することで、移動回転モードを優先的に実行するようになっている。
【００４２】
一方、上記ステップＳ３〜ステップＳ５の判断において、２点Ａ，Ｂが遠近移動していると判断した場合（ステップＳ５でＹｅｓと判断された場合）には、マイコン２１は、上記図２（ｃ）で説明した演算処理に従って、２点Ａ，Ｂによって保持された画像の拡大または縮小処理を随時実行する（ステップＳ１１）。なお、画面の拡大または縮小は、予め設定された一定の縮尺率に従って段階的に処理するようにしてもよい。例えば、１００％、９０％、８０％といった具合に１０％ごとに拡大と縮小とを行うようにしてもよい。そして、２点Ａ，Ｂの遠近移動が停止したかどうかを監視し（ステップＳ１２）、遠近移動が停止すると（ステップＳ１２でＹｅｓと判断されると）、ステップＳ３に戻って、次に２点の移動が開始されるまで待機状態となる（ステップＳ３〜ステップＳ６を繰り返す）。
【００４３】
そして、この待機状態において、タッチパネル２５に接触していた指が離れた場合（ステップＳ６でＹｅｓと判断された場合）には、本発明に係る画像表示処理を終了する。
【００４４】
なお、上記した画像表示処理では、拡大縮小モードに移行すると、その後は２点Ａ，Ｂの移動が停止するまで拡大縮小モードを実行するように構成（ステップＳ１１〜ステップＳ１２）しているが、拡大縮小モードに移行した後であっても、ステップＳ３やステップＳ４でＹｅｓと判断された場合には、その時点で移動回転モードに移行するように構成してもよい。すなわち、図３に示す処理において、ステップＳ１２でＮｏと判断された場合にステップＳ３に戻るように構成してもよい。
【００４５】
次に、図4に示すフローチャートに従って説明した上記画像表示処理動作を、図５に示す表示画面例を参照してより具体的に説明する。
【００４６】
ユーザが、図５（ａ）に示す表示画面上のタッチパネルに親指と人差し指で２点Ａｓ，Ｂｓをタッチした状態で、例えば左方向に指を平行移動させると、図５（ｂ）に示すように、指の移動方向及び移動量に従って地図画像が平行移動する。また、図５（ａ）に示す表示画面の２点Ａｓ，Ｂｓをタッチした状態で、例えば左方向に１／４回転させるように指を回転移動させると、図５（ｃ）に示すように、指の移動方向、移動量及び回転量に従って地図画像が回転移動する。
【００４７】
また、図６（ａ）に示す表示画面上のタッチパネルに親指と人差し指で２点Ａｓ，Ｂｓをタッチした状態で、例えば左方向にＳ字を描くように指を平行移動させると、Ｘ１移動時には図６（ｂ）に示すように若干の左回転を伴って画像が左方向に移動し、Ｘ２移動時には、図６（ｃ）に示すように若干の右回転を伴って画像がさらに左方向に移動し、Ｘ３移動時には、図６（ｄ）に示すように若干の右回転を伴って画像がさらに左方向に移動し、移動終了時のＸ４では、図６（ｅ）に示すように若干の左回転を伴って画像さらに左方向に移動して停止する。すなわち、画面上の２点に指を接触させた状態で、Ｓ字を描くように指を平行移動させると、画面上の表示画像が上下に弧を描くように揺動しながら、左方向に移動することになる。すなわち、上下左右方向若しくは斜め方向といった直線的な移動ではなく、回転を含む曲線的な移動が可能となる。これにより、表示画像をアナログ的に移動させることが可能となり、結果としてより直感的な操作感が得られるものである。
【００４８】
なお、本実施形態では、本発明の表示処理装置をテレビジョン受信装置に適用した場合を例示しているが、この他にも従来技術に示したカーナビゲーション装置や、ＰＤＡ等の携帯情報端末、携帯電話機等の表示処理として本発明の表示処理装置を適用することが可能である。また、表示される画像も地図データに限らず、例えば文書や写真画像などでもよい。写真画像では、取り込んだ複数枚の画像の配置や大きさを決めるときなどに本発明の表示処理装置を用いれば便利である。さらに、ゲーム機等の表示処理として本発明の表示処理装置を適用すれば、面白い動きのゲームをユーザに提供することが可能である。
【図面の簡単な説明】
【００４９】
【図１】本発明の表示処理装置の一実施形態であるテレビジョン受信装置の要部の電気的構成を示す機能ブロック図である。
【図２】（ａ）は、２点の移動方向及び移動量を求める方法を説明する図、（ｂ）は、回転量を求める方法を説明する図、（ｃ）は、拡大縮小を演算する方法を説明する図である。
【図３】本発明の表示処理装置において、画面上に表示されている画像の表示処理動作を説明するためのフローチャートである。
【図４】本発明の表示処理装置において、画面上に表示されている画像の表示処理動作を説明するための説明図である。
【図５】本発明の表示処理装置において、画面上に表示されている画像の表示処理動作を実行中の表示部の表示画面例を示す説明図である。
【図６】本発明の表示処理装置において、画面上に表示されている画像の表示処理動作を実行中の表示部の表示画面例を示す説明図である。
【符号の説明】
【００５０】
２０  ＴＶ制御系
２１  マイコン
２２  チューナ回路
２４  ＴＶ信号処理部
２４ａ  ＯＳＤ回路
２５  タッチパネル
２６  表示部
２７  増幅器
２８  スピーカ
２９  メモリ部
３０  受信部
４１  リモコン送信機
【図１】
2008070968.tif 000003
【図２】
2008070968.tif 000004
【図３】
2008070968.tif 000005
【図４】
2008070968.tif 000006
【図５】
2008070968.tif 000007
【図６】
2008070968.tif 000008